(57)【要約】      （修正有）【課題】場所ごとに高さ調節を容易に行うことができる空気注入式の枕を提供する。【解決手段】クッションバッグ１０におけるそれぞれの空気室１１〜１５の内部に、連通気泡を有する多孔質の弾性材料からなる空気室膨張材４０を充填した。空気注入口ＩＮ１〜ＩＮ５を開けた状態で、クッションバッグ１０の外面における空気室１１〜１５を形成する部分に圧力を加えて、空気室ＩＮ１〜ＩＮ５をその内部に充填された空気室膨張材４０とともに押し潰した際には、空気室１１〜１５の内部に存在する空気が空気注入口ＩＮ１〜ＩＮ５から排出される。一方、空気室１１〜１５が押し潰された状態から前記圧力を取り除いた際には、空気室膨張材４０が膨張して空気室１１〜１５を膨張させ、空気注入口ＩＮ１〜ＩＮ５から空気室１１〜１５へと空気が自然流入する。【選択図】図６
2014004183.tif 000002
【特許請求の範囲】
【請求項１】
内部空間が複数の空気室に仕切られて該複数の空気室に空気を注入するための空気注入口が空気室ごとに設けられたクッションバッグを備え、
前記複数の空気室に注入する空気の量を空気室ごとに独立して調節することにより、その高さを場所ごとに調節できる構造とした空気注入式の枕であって、
クッションバッグにおけるそれぞれの空気室の内部に、連通気泡を有する多孔質の弾性材料からなる空気室膨張材が充填され、
一の空気注入口を開けた状態で、クッションバッグの外面における前記一の空気注入口に接続された一の空気室を形成する部分に圧力を加えて、前記一の空気室をその内部に充填された一の空気室膨張材とともに押し潰した際には、前記一の空気室の内部に存在する空気が前記一の空気注入口から排出されるようにするとともに、
前記一の空気室が押し潰された状態から前記圧力を取り除いた際には、前記一の空気室膨張材が膨張して前記一の空気室を膨張させ、前記一の空気注入口から前記一の空気室へと空気が自然流入するようにしたことを特徴とする空気注入式の枕。
【請求項２】
空気室膨張材がスポンジである請求項１記載の空気注入式の枕。
【請求項３】
クッションバッグの内部空間が、
枕使用者の後頭部中央部分を支持するための第一の空気室と、
枕使用者の後頭部右上部分を支持するための第二の空気室と、
枕使用者の後頭部左上部分を支持するための第三の空気室と、
枕使用者の後頭部右下部分を支持するための第四の空気室と、
枕使用者の後頭部左下部分を支持するための第五の空気室と
に仕切られた請求項１又は２記載の空気注入式の枕。
【発明の詳細な説明】
【技術分野】
【０００１】
本発明は、空気を注入することにより、場所ごとに高さを調節することが可能とした空気注入式の枕に関する。
【背景技術】
【０００２】
枕は、それを使用する人に合ったものを使用しなければ、体調や健康が害されるおそれがある。例えば、低すぎる枕は、顎が上がって首の頸椎周辺の交感神経にストレスがかかった状態を生じやすく、不眠症や吐き気や目まいや頭痛などの原因となる。一方、高すぎる枕は、首の背面側の筋肉が緊張した状態を生じやすく、首の痛みや肩凝りの原因となる。このため、自分に合った枕をオーダーメイドする人もいる。しかし、オーダーメイドの枕は、汎用の枕に比べてかなり高価である。また、せっかく高いお金を払って枕をオーダーメイドしたにもかかわらず、一ヶ月程度でその枕が合わなくなることもある。頸椎の状態や筋肉の緊張具合など、人の身体は、日々変化している。このため、体調や健康を保つためには、定期的に枕の高さを調節する必要がある。ところが、従来の枕は、ビーズやパイプチップや蕎麦殻などの粒状物や、綿や羽根などの繊維状物や、低反発発泡ポリウレタン製マットなどの塊状物をクッション材として内部に収容する構造のものであったため、その高さ調節を定期的に行うことは困難であった。
【０００３】
このような実状に鑑みてか、これまでには、内部空間が複数の空気室に仕切られたクッションバッグからなる空気注入式の枕が提案されている（例えば特許文献１〜３）。この空気注入式の枕は、それぞれの空気室に空気を独立して注入できるようになっており、それぞれの空気室に注入する空気の量を調節することにより、その高さを場所（空気室）ごとに調節できる構造となっている。しかし、従来の空気注入式の枕は、それぞれの空気室に空気を注入する際に、それぞれの空気室に独立して設けられた空気注入口に口を付けて空気（息）を吹き込むか、その空気注入口に手動ポンプなどを接続して空気を注入する必要があり、空気室に注入する空気の量を容易に調節できるものとはなっていなかった。特に、多数の空気室が設けられている場合には、煩わしい空気注入作業を多数回行わなければならず、非常に手間を要していた。
【先行技術文献】
【特許文献】
【０００４】
【特許文献１】実公昭３４−０２０４４６号公報
【特許文献２】実開昭５１−１３５０１６号公報
【特許文献３】実開昭５２−０４８５１６号公報
【発明の概要】
【発明が解決しようとする課題】
【０００５】
本発明は、上記課題を解決するためになされたものであり、それぞれの空気室への空気注入作業を容易に行うことができ、枕使用者の身体の状態に応じて場所ごとに高さ調節を容易に行うことができる空気注入式の枕を提供するものである。
【課題を解決するための手段】
【０００６】
上記課題は、
内部空間が複数の空気室に仕切られて該複数の空気室に空気を注入するための空気注入口が空気室ごとに設けられたクッションバッグを備え、
前記複数の空気室に注入する空気の量を空気室ごとに独立して調節することにより、その高さを場所ごとに調節できる構造とした空気注入式の枕であって、
クッションバッグにおけるそれぞれの空気室の内部に、連通気泡を有する多孔質の弾性材料からなる空気室膨張材が充填され、
一の空気注入口を開けた状態で、クッションバッグの外面における前記一の空気注入口に接続された一の空気室を形成する部分に圧力を加えて、前記一の空気室をその内部に充填された一の空気室膨張材とともに押し潰した際には、前記一の空気室の内部に存在する空気が前記一の空気注入口から排出されるようにするとともに、
前記一の空気室が押し潰された状態から前記圧力を取り除いた際には、前記一の空気室膨張材が膨張して前記一の空気室を膨張させ、前記一の空気注入口から前記一の空気室へと空気が自然流入するようにしたことを特徴とする空気注入式の枕
を提供することによって解決される。
【０００７】
これにより、前記一の空気注入口を開いて前記一の空気室へ空気を自然流入させ、前記一の空気室が所望の高さとなったときに前記一の空気注入口を閉じるという簡単な作業だけで、前記一の空気室の高さを調節することが可能になる。この際、前記一の空気注入口には、口を付けて空気（息）を吹き込む必要もないし、手動ポンプなどの道具を用いる必要もない。クッションバッグに多数の空気室が設けられている場合であっても、その簡単な空気注入作業を繰り返すだけでよい。また、全ての空気室が押し潰された状態で全ての空気注入口を開いてそれぞれの空気室に空気を自然流入させ、全ての空気室にそれ以上空気が入らなくなったときに全ての空気注入口を閉じれば、枕の各部の高さを枕使用者の身体の状態に応じた高さに容易に調節することができる。
【０００８】
ただし、空気注入口に口を付けて空気を吹き込んだり、手動ポンプなどの道具を用いて各空気室の高さ調節を行う使用態様を、本発明の技術的範囲から除外しない。「前記一の空気室が押し潰された状態から前記圧力を取り除いた際には、前記一の空気室膨張材が膨張して前記一の空気室を膨張させ、前記一の空気注入口から前記一の空気室へと空気が自然流入するようにした」という記載は、「前記一の空気室が押し潰された状態から前記圧力を取り除いた際に、前記一の空気注入口から前記一の空気室へと空気が自然流入する（自然流入できる）」という意味に過ぎない。すなわち、空気注入式の枕における実際の空気室の高さ調節の方法は問わない。最初に、各空気室に空気を自然流入させることよって各空気室の高さの粗調節を行い、その後、手動ポンプなどの道具を用いて各空気室の高さの微調節を行うこともできる。この場合でも、枕の各部の高さ調節に要する手間を削減することができる。
【０００９】
本発明の空気注入式の枕において、それぞれの空気室に充填する空気室膨張材は、連通気泡を有する多孔質の弾性材であれば特に限定されない。空気室膨張材に連通気泡を有する多孔質であることが要求される理由は、その空気室膨張材が充填された空気室の全体に空気が行き渡るようにするためである。また、空気室膨張材に弾性が要求される理由は、空気室を押し潰している圧力が無くなった際に、空気室膨張材の弾性によって該空気室膨張材が収容された部分のクッションバッグが内側から押し広げられるようにするためである。このような素材としては、各種のものがあるが、例えばスポンジが好適である。スポンジとしては、ポリウレタンなどの合成樹脂を発泡成形して作られたものを好適に採用することができるが、天然スポンジを採用することもできる。
【００１０】
本発明の空気注入式の枕において、クッションバッグにおける複数の空気室の形状や配置は特に限定されないが、以下のように、５つの空気室に仕切ると好ましい。すなわち、クッションバッグの内部空間が、枕使用者の後頭部中央部分を支持するための第一の空気室と、枕使用者の後頭部右上部分を支持するための第二の空気室と、枕使用者の後頭部左上部分を支持するための第三の空気室と、枕使用者の後頭部右下部分を支持するための第四の空気室と、枕使用者の後頭部左下部分を支持するための第五の空気室とに仕切られた構造とする。これにより、枕使用者の身体の状態に応じて臨機応変に、枕の高さを細かくかつ容易に調節することが可能になる。
【発明の効果】
【００１１】
以上のように、本発明によって、それぞれの空気室への空気注入作業を容易に行うことができ、枕使用者の身体の状態に応じて場所ごとに高さ調節を容易に行うことができる空気注入式の枕を提供することが可能になる。
【図面の簡単な説明】
【００１２】
【図１】本発明の空気注入式の枕を示した平面図である。
【図２】図１に示す空気注入式の枕におけるクッションバッグを上面側と下面側に二分する水平面で切断した状態を示した断面図である。
【図３】図１に示す空気注入式の枕におけるクッションバッグを図２におけるＹ１−Ｙ１面で切断した状態を示した断面図である。
【図４】図１に示す空気注入式の枕におけるカバーを示した平面図である。
【図５】空気注入口を開けた状態でクッションバッグに圧力を加えて空気室をその内部に充填された空気室膨張材とともに押し潰すことにより、その空気室の内部に存在する空気を空気注入口から排出している状態を示した模式断面図である。
【図６】図５に示す状態からクッションバッグに加えていた圧力を取り除くことにより、空気室膨張材を膨張させて空気室を膨張させ、空気注入口から空気室へと空気を自然流入させている状態を示した模式断面図である。
【発明を実施するための形態】
【００１３】
１．枕の概要
本発明の空気注入式の枕の好適な実施態様について、図面を用いてより具体的に説明する。図１は、本発明の空気注入式の枕を示した平面図である。図２は、図１に示す空気注入式の枕におけるクッションバッグ１０を上面側と下面側に二分する水平面で切断した状態を示した断面図である。図３は、図１に示す空気注入式の枕におけるクッションバッグ１０を図２におけるＹ１−Ｙ１面で切断した状態を示した断面図である。図４は、図１に示す空気注入式の枕におけるカバー２０を示した平面図である。図５は、空気注入口ＩＮ１〜ＩＮ５を開けた状態でクッションバッグ１０に圧力を加えて空気室１１〜１５をその内部に充填された空気室膨張材４０とともに押し潰すことにより、その空気室１１〜１５の内部に存在する空気を空気注入口ＩＮ１〜ＩＮ５から排出している状態を示した模式断面図である。図６は、図５に示す状態からクッションバッグ１０に加えていた圧力を取り除くことにより、空気室膨張材４０を膨張させて空気室１１〜１５を膨張させ、空気注入口ＩＮ１〜ＩＮ５から空気室１１〜１５へと空気を自然流入させている状態を示した模式断面図である。
【００１４】
本実施態様の枕は、図１に示すように、クッションバッグ１０と、クッションバッグ１０を収容するためのカバー２０とで構成している。枕の形状は、特に限定されない。本実施態様の枕においては、クッションバッグ１０及びカバー２０の下縁（枕使用者の首を支持する側の縁部）中央部を、クッションバッグ１０及びカバー２０の上縁側に向かって湾曲して形成している。このため、枕は、枕使用者の首を支持する部分が枕の上縁側に窪んだ、平面視勾玉状のものとなっており、枕使用者の首の背面におけるカーブ形状に沿わせやすく、枕使用者の首が持ち上げられ過ぎることのない形態となっている。また、クッションバッグ１０の下縁左部と下縁右部（下縁中央部の両脇の下側に膨出した部分）で、枕使用者の首の側面を両側から適度にサポートして首を安定させ、枕使用者に快適な安心感を与えることも可能となっている。枕の寸法も特に限定されないが、本実施態様の枕においては、その縦長を４７ｃｍとし、その横長を６５ｃｍとしている。
【００１５】
２．クッションバッグ
クッションバッグ１０は、図２に示すように、その中間部（点Ｐ１，点Ｐ１０，点Ｐ１２，点Ｐ１３，点Ｐ５，点Ｐ１５，点Ｐ１４，点Ｐ１１，点Ｐ９で囲まれた部分）における内部空間が複数の空気室１１〜１５に仕切られた構造となっている。本実施態様の枕においては、枕使用者の後頭部中央部分を支持するための第一の空気室１１と、枕使用者の後頭部右上部分を支持するための第二の空気室１２と、枕使用者の後頭部左上部分を支持するための第三の空気室１３と、枕使用者の後頭部右下部分を支持するための第四の空気室１４と、枕使用者の後頭部左下部分を支持するための第五の空気室１５とに仕切った構造としている。図２に示すように、クッションバッグ１０における空気室１１〜１５の内部（同図における二点鎖線で囲まれた領域）には空気室膨張材４０が充填されている。一方、クッションバッグ１０における左縁部（点Ｐ１２，点Ｐ１３，点Ｐ１６で囲まれた部分）及び右縁部（点Ｐ１４，点Ｐ１５，点Ｐ１７で囲まれた部分）は、それぞれ第一の固体室１６及び第二の固体室１７となっている。固体室１６，１７には、固形のクッション材３０として収容される。
【００１６】
クッションバッグ１０は、例えば、それぞれ別体からなる袋体を互いに接合することにより、その内部空間が空気室１１〜１５や固体室１６，１７に仕切られた構造（それぞれの袋体が空気室１１〜１５や固体室１６，１７を形成する構造）としたものであってもよい。しかし、この場合には、袋体を接合する手間を要するし、クッションバッグ１０の接合強度に難が生じるおそれもある。このため、クッションバッグ１０は、その上面側を形成するシート（通常、熱可塑性樹脂シート）と、その下面側を形成するシート（通常、熱可塑性樹脂シート）との周縁を互いに溶着して袋状とする際に、空気室１１〜１５及び固体室１６，１７の境界に沿った箇所も互いに溶着するようにすると好ましい。これにより、一度の溶着成形により、クッションバッグ１０の内部空間を所望の形状に仕切ることができるし、その強度を高めることもできる。
【００１７】
空気室１１〜１５や固体室１６，１７の形状は、特に限定されない。本実施態様の枕においては、図２に示すように、第一の空気室１１は、点Ｐ３，Ｐ４，Ｐ５，Ｐ６，Ｐ７で囲まれた略五角形状を為している。また、第二の空気室１２は、点Ｐ１，Ｐ１０，Ｐ３，Ｐ２で囲まれた略四角形状を為している。さらに、第三の空気室１３は、点Ｐ９，Ｐ８，Ｐ７，Ｐ１１で囲まれた略四角形状を為している。さらにまた、第四の空気室１４は、点Ｐ４，Ｐ１３，Ｐ５で囲まれた略三角形状を為している。そして、第五の空気室１５は、点Ｐ６，Ｐ５，Ｐ１５で囲まれた略三角形状を為している。これにより、枕使用者に合った高さに容易に調節することができるように、空気室１１〜１５をコンパクトに配置することができる。一方、第一及び第二の固体室１６，１７は、略半円状としている。
【００１８】
また、図２に示すように、第一の空気室１１には、第一の空気注入路１１ａを介して第一の空気注入口ＩＮ１が設けられており、矢印Ａ１，Ａ２に示すように、第一の空気注入口ＩＮ１から第一の空気室１１まで空気を導入することができるようになっている。また、第二の空気室１２には、第二の空気注入路１２ａを介して第二の空気注入口ＩＮ２が設けられており、矢印Ｂに示すように、第二の空気注入口ＩＮ２から第二の空気室１２まで空気を導入することができるようになっている。さらに、第三の空気室１３には、第三の空気注入路１３ａを介して第三の空気注入口ＩＮ３が設けられており、矢印Ｃに示すように、第三の空気注入口ＩＮ３から第三の空気室１３まで空気を導入することができるようになっている。さらにまた、第四の空気室１４には、第四の空気注入路１４ａを介して第四の空気注入口ＩＮ４が設けられており、矢印Ｄに示すように、第四の空気注入口ＩＮ４から第四の空気室１４まで空気を導入することができるようになっている。そして、第五の空気室１５には、第五の空気注入路１５ａを介して第五の空気注入口ＩＮ５が設けられており、矢印Ｅに示すように、第五の空気注入口ＩＮ５から第五の空気室１５まで空気を導入することができるようになっている。
【００１９】
このように、空気室１１〜１５ごとに空気注入口ＩＮ１〜ＩＮ５及び空気注入路１１ａ〜１５ａを独立して設けることにより、注入する空気の量を空気室１１〜１５ごとに独立して調節して、枕の高さを場所ごとに調節することが可能になる。枕の使用時において、空気注入口ＩＮ１〜ＩＮ５は、栓などの閉塞手段（図示省略）で塞がれる。本実施態様の枕において、浮き輪やビニールプールなどの空気注入口に用いられるのと同様の栓１８（図５又は図６を参照）で、空気注入口ＩＮ１〜ＩＮ５を塞ぐようにしている。
【００２０】
空気室１１〜１５に充填する空気室膨張材４０は、既に述べた通り、連通気泡を有する多孔質の弾性材であれば特に限定されないが、本実施態様の枕においては、ポリウレタンなどの合成樹脂を発泡成形したスポンジを採用している。このように、空気室１１〜１５に空気膨張材４０を充填することにより、空気注入口ＩＮ１〜ＩＮ５に口を付けて息を吹き込んだり、ポンプを接続したりしなくても、空気室１１〜１５に空気を供給することが可能になる。すなわち、図５に示すように、空気注入口ＩＮ１〜ＩＮ５を開けた状態で、クッションバッグ１０の本体１０ａの外面を手で押さえ付けるなどして圧力を加え、空気室１１〜１５を空気室膨張材４０とともに押し潰した際には、空気室１１〜１５の内部に存在する空気が空気注入口ＩＮ１〜ＩＮ５から排出されるようにするとともに、図６に示すように、前記圧力を取り除いた際には、空気室膨張材４０が膨張して空気室１１〜１５も膨張し、空気注入口ＩＮ１〜ＩＮ５から空気室１１〜１５へと空気が自然流入するようにすることができる。したがって、枕の高さを簡単な作業で場所ごとに容易に調節することができる。図５及び図６の例では、空気注入路１１ａ〜１５ａには空気室膨張材４０を充填していないが、この部分にも空気室膨張材４０（空気注入路膨張材）を充填してもよい。
【００２１】
空気室１１〜１５への空気室膨張材４０の充填方法は、特に限定されない。例えば、空気室１１〜１５となる箇所に空気室膨張材４０を配した状態で、クッションバッグ１０の上面側を形成するシートと、その下面側を形成するシートとを互いに溶着するようにしてもよいが、空気室膨張材４０に厚みがある場合には難しい。このため、クッションバッグ１０の上面と下面を形成するシートを互いに溶着してクッションバッグ１０の内部空間を空気室１１〜１５に仕切った後、空気室膨張材４０を入れるようにすると好ましい。具体的には、クッションバッグ１０に空気室膨張材充填口を設けておき、その空気室膨張材充填口から空気室膨張材４０を充填した後、空気室膨張材充填口を溶着などにより塞ぐ方法である。空気室膨張材４０は、圧縮することができるため、空気室膨張材充填口を大きく設けなくても、空気室１１〜１５へ充填することができる。この他、ノズルなどを利用して前記空気室膨張材充填口などから空気室１１〜１５に未硬化状態の空気室膨張材４０を充填する方法などもある。
【００２２】
空気室膨張材４０の空隙率は、特に限定されないが、小さすぎると、空気室１１〜１５に空気を導入する際に、空気が空気室１１〜１５の全体に行き渡るまでに時間を要するようになる。このため、空気室膨張材４０の空隙率は、通常、５０％以上とされる。空気室膨張材４０の空隙率は、６０％以上であると好ましく、７０％以上であるとより好ましく、８０％以上であるとさらに好ましい。一方、空気室膨張材４０の空隙率を大きくしすぎると、空気室膨張材４０の弾性が弱まり、空気室１１〜１５に空気を導入する際に、空気室１１〜１５が膨張しにくくなるおそれがある。このため、空気室膨張材４０の空隙率は、通常、９９％以下とされる。空気室膨張材４０の空隙率は、９８％以下であると好ましく、９７％以下であるとより好ましい。
【００２３】
空気室１１〜１５の最大高さ（空気室膨張材４０を限界まで空気室１１〜１５の内部で限界まで膨張させたときの空気室１１〜１５の高さ）は、特に限定されない。しかし、空気室１１〜１５の最大高さが低すぎると、枕の各部の高さを調節できる範囲が狭くなってしまう。このため、空気室１１〜１５の最大高さは、通常、２０ｍｍ以上とされる。空気室１１〜１５の最大高さは、３０ｍｍ以上であると好ましく、４０ｍｍ以上であるとより好ましい。一方、空気室１１〜１５の最大高さを高くしすぎても、枕の用途ではあまり意味を為さない。このため、空気室１１〜１５の最大高さは、１００ｍｍ以下とされる。
【００２４】
空気注入口ＩＮ１〜ＩＮ５や、空気注入路１１ａ〜１５ａの配置は、特に限定されない。本実施態様の枕においては、図２に示すように、エアバッグ１０の本体１０ａの上縁に沿って帯状に設けた突片１０ｂに、空気注入口ＩＮ１〜ＩＮ５を集約して配置している。第一の空気注入口ＩＮ１は、突片１０ｂの中央部に、第二の空気注入口ＩＮ２は、突片１０ｂにおける第一の空気注入口ＩＮ１の左側に、第三の空気注入口ＩＮ３は、突片１０ｂにおける第一の空気注入口ＩＮ１の右側に、第四の空気注入口ＩＮ４は、突片１０ｂにおける第二の空気注入口ＩＮ２の左側に、第五の空気注入口ＩＮ５は、突片１０ｂにおける第三の空気注入口ＩＮ３の右側にそれぞれ設けている。また、第一の空気注入路１１ａは、第二の空気室１２と第三の空気室１３との間に、第四の空気注入路１４ａは、第一の空気室１１及び第二の空気室１２の左側に、第五の空気注入路１５ａは、第一の空気室１１及び第三の空気室１３の右側にそれぞれ設けている。第二の空気注入路１２ａは、第二の空気注入口ＩＮ２と第二の空気室１２とを直結する形で、第三の空気注入路１３ａは、第三の空気注入口ＩＮ３と第三の空気室１３とを直結する形でそれぞれ設けている。
【００２５】
空気注入路１１ａ〜１５ａのうち、第一の空気注入路１１ａは、図２に示すように、第一の空気注入口ＩＮ１から第一の空気室１１に近づくに連れて幅が広くなる（点Ｐ１と点Ｐ９の距離よりも点Ｐ２と点Ｐ８の距離が長くなる）ように形成している。そして、第一の空気注入路１１ａにおける下端中央部は、クッションバッグ１０の上面と下面とが互いに固着された固着部１１ｂとしている。このため、クッションバッグ１０の中間部における中心近傍が最も低くなるようにして、枕使用者の後頭部中央部分から後頭部上側部分に至るまでを低い位置で支持することが可能となっている。固着部１１ｂは、クッションバッグ１０の上面と下面を互いに接着することにより設けてもよい。本実施態様の枕においては、クッションバッグ１０の上面と下面における所定箇所を互いに溶着してクッションバッグ１０の内部空間を複数の空気室１１〜１５及び固体室１６，１７に仕切る際に、第一の空気注入路１１ａの下端中央部も溶着することにより、固着部１１ｂを設けている。これにより、固着部１１ｂを効率的に形成することができる。第一の空気注入口ＩＮ１から導入された空気は、矢印Ａ１，Ａ２に示すように、第一の空気導入路１１ａの下端部近傍で二手に分かれて第一の空気室１１に導入される。
【００２６】
固体室１６，１７に充填するクッション材３０は、第一の固体室１６及び第二の固体室１７にそれぞれ設けられた第一のクッション材充填口１６ａ及び第二のクッション材充填口１７ａから充填される。クッション材充填口１６ａ，１７ａは、ファスナーなどにより閉塞可能な構造となっている。固体室１６，１７に収容するクッション材３０としては、ビーズやパイプチップや蕎麦殻などの粒状物や、綿や羽根などの繊維状物や、低反発発泡ポリウレタン製マットなどの塊状物などが例示される。本実施態様の枕においては、多数のビーズをクッション材３０として固体室１６，１７に収容している。クッション材３０として使用するビーズには、通常、ポリエチレンやポリプロピレンやポリウレタンなどの樹脂粒子、又はこれらの樹脂を発泡させた発泡樹脂粒子などが使用される。
【００２７】
クッション材３０として使用するビーズの粒径は、特に限定されないが、小さすぎると、小さすぎると、クッション材３０がクッション材充填口１６ａ，１７ａから漏れやすくなるおそれがある。このため、クッション材３０として使用するビーズの粒径は、通常、０．１ｍｍ以上とされる。クッション材３０として使用するビーズの粒径は、０．３ｍｍ以上であると好ましく、０．５ｍｍ以上であるとより好ましい。一方、クッション材３０として使用するビーズの粒径が大きすぎると、枕の左縁部及び右縁部の感触が悪くなるおそれがある。このため、クッション材３０として使用するビーズの粒径は、通常、５ｍｍ以下とされる。クッション材３０として使用するビーズの粒径は、４ｍｍ以下であると好ましく、３ｍｍ以下であるとより好ましい。
【００２８】
クッションバッグ１０における固体室１６，１７が設けられた左縁部及び右縁部の高さ（固体室１６，１７にクッション材３０を収容した状態であって、クッションバッグ１０に負荷がかかっていないときにおける最も高くなっている場所の厚さ。以下同じ。）は、図３に示すように、クッションバッグ１０における空気室１１〜１５が設けられた中間部よりも高く（厚く）される。これにより、枕使用者の頭部を枕の中間部に保持することができる。クッションバッグ１０の左縁部及び右縁部の高さ（厚さ）は、通常、クッションバッグ１０の中間部の高さ（最も高く（厚く）なった部分の高さ（厚さ）。以下同じ。）よりも１０ｍｍ以上高くされる。クッションバッグ１０の左縁部及び右縁部は、中間部よりも１５ｍｍ以上高くすると好ましく、２０ｍｍ以上高くするとより好ましい。一方、クッションバッグ１０の左縁部及び右縁部を高くしすぎると、枕使用者が頭部に拘束感を強く感じるようになるおそれがある。このため、クッションバッグ１０の左縁部及び右縁部は、通常、中間部よりも５０ｍｍ以上、好ましくは４０ｍｍ以上、高くならないようにする。
【００２９】
３．カバー
カバー２０は、図１に示すように、クッションバッグ１０を内部に収容するためのものとなっており、枕の通気性及び肌触りを向上させるためのものとなっている。カバー２０は、クッションバッグ１０に倣った袋状となっており、クッションバッグ１０よりも一回り大きな寸法とされる。クッションバッグ１０は、カバー２０の下面側に設けられたクッションバッグ挿入口（図示省略）などからカバー２０の内部へと挿入される構造となっている。カバー２０には、一般的な枕のカバーに用いられる各種の素材を用いることができる。カバー２０は、その全体が同じ素材で形成されたものであってもよいが、図４に示すように、その上面における左縁部２２（網掛けハッチングで示した部分）及び右縁部２３（網掛けハッチングで示した部分）を、その上面における中間部２１（点Ｑ１，Ｑ５，Ｑ３，Ｑ６，Ｑ８，Ｑ４，Ｑ７で囲まれる部分）よりも柔らかい素材（剛軟度の小さい素材）で形成してもよい。これにより、固体室１６，１７に充填されたクッション材３０の感触を伝わりやすくするとともに、空気室１１〜１７のゴワゴワ感が伝わりにくくすることができる。
【００３０】
また、図４に示すように、カバー２０の中間部２１における上面に、クッションバッグ１０（図２を参照）における空気室１１〜１５の形状を示すための目印（図４中の破線Ｑ１Ｑ２、破線Ｑ２Ｑ３及び破線Ｑ２Ｑ４）を設けてもよい。これら目印のうち、破線Ｑ１Ｑ２は、クッションバグ１０における空気注入路１１ａの中心（第二の空気室１２と第三の空気室１３の境界）に沿って設けている。また、破線Ｑ２Ｑ３及び破線Ｑ２Ｑ４は、クッションバッグ１０における線分Ｐ３Ｐ７（第一の空気室１１と第二の空気室１２の境界、及び第一の空気室１１と第三の空気室１３の境界）に沿って設けている。このため、空気室１１〜１５に空気を注入する際に、どの空気室がどの範囲で高くなるのかをカバー２０の外部から容易に認識することができるようになっている。これらの目印は、カバー２０の外面にプリントすることなどにより設けてもよいが、カバー２０の中間部２１に縫い目を形成することにより目印を設けてもよい。
【００３１】
４．その他
クッションバッグ１０の中間部（図２における点Ｐ１，点Ｐ１０，点Ｐ１２，点Ｐ１３，点Ｐ５，点Ｐ１５，点Ｐ１４，点Ｐ１１，点Ｐ９で囲まれた部分）に倣った平面形状を有するクッションマット（図示省略）を、クッションマット１０の中間部の上面に重ねられた状態でカバー２０の内部に収容してもよい。これにより、クッションバッグ１０の中間部の感触が枕使用者の後頭部にさらに伝わりにくくすることができる。
【符号の説明】
【００３２】
１０    クッションバッグ
１０ａ  本体
１０ｂ  突片
１１    第一の空気室
１１ａ  第一の空気注入路
１１ｂ  固着部
１２    第二の空気室
１２ａ  第二の空気注入路
１３    第三の空気室
１３ａ  第三の空気注入路
１４    第四の空気室
１４ａ  第四の空気注入路
１５    第五の空気室
１５ａ  第五の空気注入路
１６    第一の固体室
１６ａ  第一のクッション材充填口
１７    第二の固体室
１７ａ  第二のクッション材充填口
１８    栓
２０    カバー
２０ａ  カバー本体
２０ｂ  カバー突片
２１    中間部
２２    左縁部
２３    右縁部
３０    ビーズ（クッション材）
４０    空気室膨張材
Ａ１  第一の空気注入口から第一の空気室に導入される空気の流れ
Ａ２  第一の空気注入口から第一の空気室に導入される空気の流れ
Ｂ    第二の空気注入口から第二の空気室に導入される空気の流れ
Ｃ    第三の空気注入口から第三の空気室に導入される空気の流れ
Ｄ    第四の空気注入口から第四の空気室に導入される空気の流れ
Ｅ    第五の空気注入口から第五の空気室に導入される空気の流れ
ＩＮ１  第一の空気注入口
ＩＮ２  第二の空気注入口
ＩＮ３  第三の空気注入口
ＩＮ４  第四の空気注入口
ＩＮ５  第五の空気注入口
【図１】
2014004183.tif 000003
【図２】
2014004183.tif 000004
【図３】
2014004183.tif 000005
【図４】
2014004183.tif 000006
【図５】
2014004183.tif 000007
【図６】
2014004183.tif 000008